(57)【要約】【課題】記録紙トレイの異物ガードを備えた画像形成装置において、異物ガードにより遮られることなく、容易に記録紙を装填可能にする。【解決手段】異物ガード４０は、筐体１０の背部に設けられた記録紙トレイの前方に立設するように、ばね４５により後方に付勢された状態で、軸支部４１にてリッド１１に軸支されている。異物ガード４０の軸支部４１の近傍部位には、異物ガード４０が立設された状態で上面が略水平方向に前方に張り出すように形成されたストッパ片４２が形成されている。異物ガード４０が前方に寝るような姿勢に回動されたとき、ストッパ片４２の上面が筐体１０の後縁部１０ａに当接することにより、異物ガード４０がその姿勢でロックされ、異物ガード４０に遮られずに記録紙を装填可能になる。【選択図】図４
2008154089.tif 000002
【特許請求の範囲】
【請求項１】
筐体と、
前記筐体の背面に、上面が装置前方を向くように傾けて設けられ、記録紙が立てかけられるようにして装填される記録紙トレイと、
前記筐体上部に配置され、前記筐体上面の略矩形形状の原稿台上に載置された原稿を画像データとして読み取る機能を有するスキャナ部と、
前記スキャナ部の下方に配置され、前記スキャナ部により読み取られた原稿の画像データ又は外部装置から入力された画像データに基づいて、前記記録紙トレイから給紙された記録紙に画像を形成する機能を有する画像形成部とを備え、
前記スキャナ部は、
略棒形状に形成され、その下端部から前記筐体の後端部近傍部位に上下方向に摺動可能に嵌装されるヒンジ部材と、
前記ヒンジ部材の上端部近傍部位に略水平の回動軸により軸支され、前記筐体に対し回動自在且つ上下に変位可能に装着された略平板状のスキャナリッドと、
前記記録紙トレイの前方で、前記記録紙トレイの幅方向に渡り前記スキャナリッドの上面から立設するように、前記スキャナリッドのうち前記スキャナリッドの回動軸よりも前方の部位に略水平の回転軸により軸支され、前記スキャナリッド上面から異物が前記記録紙トレイ上に落下しないようにガードする異物ガードと、
前記異物ガードを前記記録紙トレイに向けて付勢するように配置され、その異物ガードを、前記記録紙トレイの前方で前記スキャナリッドの上面から立設したガード状態で保持させるばねとを有しており、
前記スキャナリッドは、略水平な閉状態のとき、前記原稿台の上面を覆い、原稿を前記原稿台との間で挟むことによりその原稿を前記原稿台に密着させるように配置されている画像形成装置において、
前記異物ガードは、前記異物ガードがガード状態であるときに、上面が略水平に、その異物ガードの回転軸よりも前方に張り出すような形状に形成されたストッパ片と、前記ストッパ片の下方に形成され、前記ストッパ片の上面に対し略垂直に、前記ストッパ片の前端部から後方に向け立設された当接リブ部とを一体に有しており、
前記当接リブ部は、その下端部から前記ストッパ片の前端部にかけて下に凸の滑らかな曲面を有しており、
前記スキャナリッドが閉状態のとき、前記異物ガードがガード状態から前方に向け回動され、前記当接リブ部が前記筐体上面に摺接することにより前記スキャナリッドが上方に変位し、前記ストッパ片の上面が前記筐体上面の後縁部に当接した状態で、前記スキャナリッドが下方に変位して元の閉状態の位置に戻ることにより、前記異物ガードがガード状態から前方に向け回動した状態でロックされ、それにより前記記録紙トレイに記録紙を装填しやすくなり、
前記異物ガードがロック状態のとき、前記スキャナリッドを閉状態から開状態にすることにより、前記ストッパ片と前記筐体上面の後縁部とが離れ、前記異物ガードが、前記ばねの付勢力により前記記録紙トレイに向け回動してガード状態に戻るように構成されていることを特徴とする画像形成装置。
【請求項２】
筐体と、
前記筐体の背部に設けられ、記録紙が装填される記録紙トレイと、
前記筐体上部に配置され、前記筐体上面の略矩形形状の原稿台上に載置された原稿を画像データとして読み取る機能を有するスキャナ部と、
前記スキャナ部の下方に配置され、前記スキャナ部により読み取られた原稿の画像データ又は外部装置から入力された画像データに基づいて記録紙に画像を形成する機能を有する画像形成部とを備え、
前記スキャナ部は、
前記筐体の後端部近傍部位に回動軸が略水平になるように軸支され、前記筐体に対し回動自在且つ上下に変位可能に装着されたスキャナリッドと、
前記記録紙トレイの前方に、前記スキャナリッドのうち前記スキャナリッドの回動軸よりも前方の部位に略水平の回転軸により軸支され、前記スキャナリッド上面から異物が前記記録紙トレイ上に落下しないように前記記録紙トレイをガードする異物ガードと、
前記異物ガードを前記記録紙トレイに向けて付勢するように配置され、前記異物ガードを前記記録紙トレイをガードするガード状態のまま保持させるばねとを有する画像形成装置において、
前記異物ガードは、前記異物ガードの回転軸近傍部位に形成され、ガード状態のときその回転軸よりも前方に張り出すストッパ片を有しており、
前記スキャナリッドが閉状態のとき、前記異物ガードがガード状態から前方に向け回動され、前記ストッパ片が前記筐体上面の後縁部に当接した状態にされることにより、前記異物ガードがガード状態から前方に向け回動した状態でロックされ、
前記異物ガードがロック状態のとき、前記スキャナリッドを閉状態から開状態にすることにより、前記ストッパ片と前記筐体上面の後縁部とが離れ、前記異物ガードが、前記ばねの付勢力により前記記録紙トレイに向け回動してガード状態に戻るように構成されていることを特徴とする画像形成装置。
【請求項３】
前記異物ガードは、前記ストッパ片の下方に形成され、前記ストッパ片の上面に対し略垂直に、前記ストッパ片の前端部から後方に向け立設された当接リブ部をさらに有しており、
前記異物ガードがガード状態から前方に向け回動されるとき、前記当接リブ部が前記筐体上面に摺接することにより前記スキャナリッドが上方に変位し、前記ストッパ片の上面が前記筐体上面の後縁部に当接した状態で、前記スキャナリッドが下方に変位して元の閉状態の位置に戻るように構成されていることを特徴とする請求項２に記載の画像形成装置。
【発明の詳細な説明】
【技術分野】
【０００１】
本発明は、筐体背面の記録紙トレイから搬送された記録紙に画像を形成する画像形成装置に関し、特に、原稿台に載置された原稿を画像データとして読み取るスキャナ部を搭載しているものに関する。
【背景技術】
【０００２】
例えばＣＩＳ（Contact Image Sensor）等のセンサにより、原稿台上に載置された原稿を画像データとして読み取るスキャナ部を搭載した画像形成装置が知られている。このような画像形成装置の原稿台上には、原稿台を開閉するように、筐体に対し回動可能に軸支されたスキャナリッドが配置されており、原稿を、原稿台とスキャナリッドとの間に挟んで原稿台に押さえつけた状態で読み取るように構成されている。
【０００３】
ところで、上記のような画像形成装置のうち、筐体背面に記録紙トレイが設けられている場合、スキャナリッドの上面に例えばクリップ等の異物がある状態でスキャナリッドを開状態にすると、その異物が記録紙トレイと筐体との間に落下し、故障等の不具合が発生する原因になることがある。これを防止した画像形成装置として、例えば特許文献１や特許文献２に示すように、記録紙トレイの前方に、記録紙トレイに異物の落下を防止するための異物ガードを設けたものが知られている。特許文献１の画像形成装置では、記録紙トレイを開くとき、記録紙トレイを持ち上げるようにし、記録紙トレイの破損を防止した構造が示されている。また、特許文献２には、記録紙トレイに異物ガードが当接する突起部を設け、スキャナリッドを回動させたときに異物ガードが記録紙に当接しないようにした画像形成装置の構造が記載されている。
【０００４】
しかしながら、特許文献１や特許文献２に示すような異物ガードを設けた画像形成装置においては、異物ガードが記録紙トレイの前方に設けられているため、記録紙トレイに記録紙を装填する際、記録紙トレイ上の記録紙装填部位が異物ガードに遮られ、記録紙を装填しにくいという問題があった。また、記録紙トレイに、例えば記録紙の幅方向の位置を位置決めする記録紙ガイド等が設けられている場合には、異物ガードに遮られて記録紙ガイド等に手が届きにくかったり、筐体前方から見て記録紙ガイド等が異物ガードの陰になったりし、その記録紙ガイド等の位置を変更したりする作業を行いにくいという問題があった。
【０００５】
なお、特許文献３には、２つの記録紙の搬送経路をそれぞれカバーする２つのカバーを有する画像形成装置において、一方のカバーを開いたときに他方のカバーも開くようにし、容易にジャム処理可能にした構造が記載されている。しかしながら、特許文献３には、上記問題点に対し有効な解決策は開示されていない。
【特許文献１】特開２００５−２２３４１５号公報
【特許文献２】特開２００６−１１７３９５号公報
【特許文献３】特開平１１−２７２１４４号公報
【発明の開示】
【発明が解決しようとする課題】
【０００６】
本発明は、上記問題点を鑑みてなされたものであり、記録紙トレイに、異物ガードにより遮られることなく、容易に記録紙を装填可能な画像形成装置を提供することを目的とする。
【課題を解決するための手段】
【０００７】
上記目的を達成するため、請求項１の発明は、筐体と、前記筐体の背面に、上面が装置前方を向くように傾けて設けられ、記録紙が立てかけられるようにして装填される記録紙トレイと、前記筐体上部に配置され、前記筐体上面の略矩形形状の原稿台上に載置された原稿を画像データとして読み取る機能を有するスキャナ部と、前記スキャナ部の下方に配置され、前記スキャナ部により読み取られた原稿の画像データ又は外部装置から入力された画像データに基づいて、前記記録紙トレイから給紙された記録紙に画像を形成する機能を有する画像形成部とを備え、前記スキャナ部は、略棒形状に形成され、その下端部から前記筐体の後端部近傍部位に上下方向に摺動可能に嵌装されるヒンジ部材と、前記ヒンジ部材の上端部近傍部位に略水平の回動軸により軸支され、前記筐体に対し回動自在且つ上下に変位可能に装着された略平板状のスキャナリッドと、前記記録紙トレイの前方で、前記記録紙トレイの幅方向に渡り前記スキャナリッドの上面から立設するように、前記スキャナリッドのうち前記スキャナリッドの回動軸よりも前方の部位に略水平の回転軸により軸支され、前記スキャナリッド上面から異物が前記記録紙トレイ上に落下しないようにガードする異物ガードと、前記異物ガードを前記記録紙トレイに向けて付勢するように配置され、その異物ガードを、前記記録紙トレイの前方で前記スキャナリッドの上面から立設したガード状態で保持させるばねとを有しており、前記スキャナリッドは、略水平な閉状態のとき、前記原稿台の上面を覆い、原稿を前記原稿台との間で挟むことによりその原稿を前記原稿台に密着させるように配置されている画像形成装置において、前記異物ガードは、前記異物ガードがガード状態であるときに、上面が略水平に、その異物ガードの回転軸よりも前方に張り出すような形状に形成されたストッパ片と、前記ストッパ片の下方に形成され、前記ストッパ片の上面に対し略垂直に、前記ストッパ片の前端部から後方に向け立設された当接リブ部とを一体に有しており、前記当接リブ部は、その下端部から前記ストッパ片の前端部にかけて下に凸の滑らかな曲面を有しており、前記スキャナリッドが閉状態のとき、前記異物ガードがガード状態から前方に向け回動され、前記当接リブ部が前記筐体上面に摺接することにより前記スキャナリッドが上方に変位し、前記ストッパ片の上面が前記筐体上面の後縁部に当接した状態で、前記スキャナリッドが下方に変位して元の閉状態の位置に戻ることにより、前記異物ガードがガード状態から前方に向け回動した状態でロックされ、それにより前記記録紙トレイに記録紙を装填しやすくなり、前記異物ガードがロック状態のとき、前記スキャナリッドを閉状態から開状態にすることにより、前記ストッパ片と前記筐体上面の後縁部とが離れ、前記異物ガードが、前記ばねの付勢力により前記記録紙トレイに向け回動してガード状態に戻るように構成されているものである。
【０００８】
請求項２の発明は、筐体と、前記筐体の背部に設けられ、記録紙が装填される記録紙トレイと、前記筐体上部に配置され、前記筐体上面の略矩形形状の原稿台上に載置された原稿を画像データとして読み取る機能を有するスキャナ部と、前記スキャナ部の下方に配置され、前記スキャナ部により読み取られた原稿の画像データ又は外部装置から入力された画像データに基づいて記録紙に画像を形成する機能を有する画像形成部とを備え、前記スキャナ部は、前記筐体の後端部近傍部位に回動軸が略水平になるように軸支され、前記筐体に対し回動自在且つ上下に変位可能に装着されたスキャナリッドと、前記記録紙トレイの前方に、前記スキャナリッドのうち前記スキャナリッドの回動軸よりも前方の部位に略水平の回転軸により軸支され、前記スキャナリッド上面から異物が前記記録紙トレイ上に落下しないように前記記録紙トレイをガードする異物ガードと、前記異物ガードを前記記録紙トレイに向けて付勢するように配置され、前記異物ガードを前記記録紙トレイをガードするガード状態のまま保持させるばねとを有する画像形成装置において、前記異物ガードは、前記異物ガードの回転軸近傍部位に形成され、ガード状態のときその回転軸よりも前方に張り出すストッパ片を有しており、前記スキャナリッドが閉状態のとき、前記異物ガードがガード状態から前方に向け回動され、前記ストッパ片が前記筐体上面の後縁部に当接した状態にされることにより、前記異物ガードがガード状態から前方に向け回動した状態でロックされ、前記異物ガードがロック状態のとき、前記スキャナリッドを閉状態から開状態にすることにより、前記ストッパ片と前記筐体上面の後縁部とが離れ、前記異物ガードが、前記ばねの付勢力により前記記録紙トレイに向け回動してガード状態に戻るように構成されているものである。
【０００９】
請求項３の発明は、請求項２の発明において、前記異物ガードは、前記ストッパ片の下方に形成され、前記ストッパ片の上面に対し略垂直に、前記ストッパ片の前端部から後方に向け立設された当接リブ部をさらに有しており、前記異物ガードがガード状態から前方に向け回動されるとき、前記当接リブ部が前記筐体上面に摺接することにより前記スキャナリッドが上方に変位し、前記ストッパ片の上面が前記筐体上面の後縁部に当接した状態で、前記スキャナリッドが下方に変位して元の閉状態の位置に戻るように構成されているものである。
【発明の効果】
【００１０】
請求項１の発明によれば、異物ガードにストッパ片が設けられており、スキャナリッドが閉状態のとき、異物ガードをロック状態にすることができるので、記録紙トレイの記録紙を装填する部位が異物ガードにより遮られないようにした状態にすることができる。従って、記録紙トレイに記録紙を装填する作業や、記録紙トレイの記録紙ガイド等を調整する作業等を、容易に行うことができる。また、異物ガードは、スキャナリッドの回動軸よりも前方の部位で軸支されているので、ロック状態のとき、スキャナリッドを開状態に回動させることで、異物ガードを元のガード状態に容易に戻すことができる。さらにまた、ストッパ片の下方には、当接リブ部が設けられているので、異物ガードをロック状態にするとき、異物ガードを回動させて当接リブ部を筐体上面に摺接させることにより、スキャナリッドを上下に変位させながら、異物ガードを容易にロック状態にすることが可能になる。また、当接リブ部は、下端部からストッパ片の前端部にかけて下に凸の滑らかな曲面を有しているので、異物ガードをロック状態にするときの動作を、よりスムーズに行うことができる。そのため、仮にスキャナリッド上にクリップ等を置いた状態でスキャナリッドを開いたとしても、リッド上のクリップ等は異物ガードによりガードされ、記録紙トレイ上に落下することが防止される。
【００１１】
請求項２の発明によれば、異物ガードにストッパ片が設けられているので、異物ガードをロック状態にし、記録紙トレイの記録紙を装填する部位が異物ガードにより遮られないようにした状態にすることができる。また、異物ガードは、スキャナリッドの回動軸よりも前方の部位で軸支されているので、上述と同様に、異物ガードをロック状態から元のガード状態に容易に戻すことができる。従って、記録紙トレイに記録紙を装填する作業や、記録紙トレイの記録紙ガイド等を調整する作業等を、容易に行うことができる。
【００１２】
請求項３の発明によれば、ストッパ片の下方に当接リブ部が設けられているので、異物ガードをロック状態にするとき、異物ガードを回動させて当接リブ部を筐体上面に摺接させることにより、スキャナリッドを上下に変位させながら、異物ガードを容易にロック状態にすることが可能になる。
【発明を実施するための最良の形態】
【００１３】
以下、本発明の一実施形態について図面を参照しつつ説明する。図１及び図２は、本実施形態に係る画像形成装置の一例を示す。この画像形成装置１は、いわゆるオールインワン型のものであり、樹脂製の筐体１０の下部に配置され、例えばインクジェット方式により記録紙Ｐに画像を形成する画像形成部２と、筐体１０の上部に配置され、原稿を画像データとして読み取る機能を有するスキャナ部３と、筐体１０の上面に配置され、画像形成装置１を操作するためにユーザにより操作される操作ボタン４及び画像形成装置１の動作状態等を表示する液晶表示部５と、例えば筐体１０の前面に配置され、例えばデジタルスチルカメラやメモリーカード等の外部機器が接続されるコネクタ部７等を有している。筐体１０の背面には、画像形成部２に搬送される記録紙Ｐがセットされる記録紙トレイ１５が設けられており、画像形成部２の前面には、画像形成部２により画像が形成された記録紙が排出される排紙トレイ１６が設けられている。記録紙トレイ１５は、例えば、その上面が画像形成装置１の前方を向くように傾けて設けられおり、記録紙Ｐが立てかけられるようにして装填されるように構成されている。図２に示すように、記録紙トレイ１５には、装填される記録紙Ｐの側端部を位置決めするためにユーザによりスライド操作される記録紙ガイド１５ａが取り付けられている。
【００１４】
画像形成部２は、例えば、記録紙を記録紙トレイ１５から一枚ずつ筐体１０の内部に給紙して、排紙トレイ１６上に排出するローラやローラを駆動するモータ等を有する記録紙搬送機構や、筐体１０の内部に搬送された記録紙にインクに往復駆動させるモータ及び駆動ベルト等で構成されている。画像形成装置１は、例えば、コネクタ部７等に接続された外部機器や、例えば筐体１０の背部に設けられたコネクタ（図示せず）等を介して接続された外部のパーソナルコンピュータ等から入力された画像データ等や、スキャナ部３により読み取られた画像データ等を用いて、画像形成部２により記録紙に画像を形成する機能を有している。なお、画像形成部２は、例えば電子写真方式や熱転写方式等により記録紙に画像を形成するようなものであってもよい。
【００１５】
図２は、スキャナ部３を示す。スキャナ部３は、筐体１０の上面に配置された略矩形形状の原稿台３ａを有している。スキャナ部３の内部には、例えば、この原稿台３ａの内面に当接するように配置されたＣＩＳ（Contact Image Sensor）等の読取部３０ａと、この読取部３０ａを駆動するための駆動機構３０ｂ等（図示せず）が収納されている。スキャナ部３は、原稿台３ａ上に載置された原稿を読取部３０ａを用いて撮像することにより、その原稿を画像データとして読み取るように構成されている。
【００１６】
筐体１０の原稿台３ａの上方には、スキャナリッド（以下、リッドと称する）１１が配置されている。リッド１１は、原稿台３ａの上面を覆うように配置されている。リッド１１は、筐体１０の上面の後端部近傍部位で、左右２箇所に配置された略棒形状のヒンジ部材２０を介して、筐体１０に取り付けられている。ヒンジ部材２０は、その下端部から筐体１０に形成された孔部（図示せず）に上下方向に摺動可能に嵌装されている。そして、リッド１１は、ヒンジ部材２０の上端部近傍部位で略水平の回動軸２０ａによりヒンジ部材２０に軸支され、筐体１０に対し回動自在且つ上下に変位可能に装着されている。このリッド１１の下面の原稿台３ａに対応する位置には、例えばスポンジ等を用いたパッド１２が取り付けられており、原稿台３ａに載置された原稿を原稿台３ａとパッド１２との間で挟むことにより、その原稿を原稿台３ａに密着させて原稿台３ａ上で原稿が動かないように保持するように構成されている。ユーザは、リッド１１の前端部近傍を上下方向に変位させることにより、リッド１１を筐体１０に対して回動させ、原稿台３ａに原稿を密着させることができる閉状態から、原稿台３ａを外部に露出させる開状態にすることができるように構成されている。
【００１７】
リッド１１の上面には、記録紙トレイ１５の前方に、リッド１１の上面から立設するように配置された異物ガード４０が設けられている。異物ガード４０は例えば略矩形板形状であり、記録紙トレイ１５の幅方向が長手方向になるように、記録紙トレイ１５の幅方向に渡って配置されている。この画像形成装置１では、異物ガード４０が配置されていることにより、リッド１１の上面に例えばペーパークリップ等の異物が置かれたままでリッド１１を回動させたときにも、その異物が記録紙トレイ１５上に落下せず、異物落下による故障等を未然に防止できるように構成されている。異物ガード４０は、その長手方向両端部から外向きに突出した軸支部４１により、リッド１１のうちリッド１１の回動軸２０ａよりも前方の部位に、回動自在に略水平に軸支されている。なお、軸支部４１が軸支されている部位は、記録紙トレイ１５の前方で筐体１０の後端部の近傍部位に位置するように構成されている。リッド１１の軸支部４１のうち一方には、ばね４５が配置されている。ばね４５は、例えばトーションばねであり、リッド１１と異物ガード４０との間で、異物ガード４０を後方に向け、すなわち記録紙トレイ１５側に回転するように付勢している。リッド１１のうち、異物ガード４０の前端に面する後端部には、記録紙トレイ１５上で立設した状態の異物ガード４０に当接するように形成されたストッパ部（後述の図３（ｃ）に図示）１１ｂが形成されている。異物ガード４０は、ばね４５により付勢されてストッパ部１１ｂに当接することにより、記録紙トレイ１５の前方で立設したガード状態で保持され、異物の落下を防止できるように構成されている。
【００１８】
図３（ａ）、（ｂ）、（ｃ）は、異物ガード４０のガード状態における一端部近傍部位を示す。異物ガード４０の一端部には、ストッパ片４２が形成されている。図３（ａ）に示すように、ストッパ片４２は、異物ガード４０が上記のようなガード状態であるとき、その上面が略水平になるように形成されている。また、図３（ｃ）に示すように、ストッパ片４２は、異物ガード４０本体から、所定の角度（例えば、約１２０度）をなすように軸支部４１よりも前方に張り出すような形状に形成されており、その先端部が軸支部４１よりも前方に位置している。ストッパ片４２の下方には、ストッパ片４２の上面に対し略垂直に、ストッパ片４２の前端部から後方に向け立設された当接リブ部４３が設けられている。図３（ｃ）に示すように、リッド１１が閉状態のとき、当接リブ部４３の下端部が、筐体１０の上面に近接した状態となるように構成されている。本実施形態において、図に示すように、当接リブ部４３は、その下端部からストッパ片４２の先端部にかけて、側面視で下に凸となる滑らかな曲面を有するように形成されている。なお、ストッパ片４２、当接リブ部４３は、軸支部４１と共に、異物ガード４０に一体に形成されている。
【００１９】
ここで、本実施形態において、リッド１１が閉状態のとき、異物ガード４０を、ガード状態から前方に向け回動させて略水平に寝かせた状態でロックすることができるように構成されている。図４（ａ）、（ｂ）、（ｃ）は、異物ガード４０を上記のようにロック状態にしたときを示す。異物ガード４０をガード状態から前方に向けて回動させると、当接リブ部４３の下端前方部が筐体１０の上面に当接する。その状態からさらに異物ガード４０を回動させると、当接リブ部４３が筐体１０の上面に当接することによりリッド１１が上方に変位し、当接リブ部４３が筐体１０の上面に摺接する。そして、異物ガード４０が、ストッパ片４２の上面前端部が軸支部４１よりも後方となる位置まで回動されると、リッド１１が下方に変位していき、さらに、ストッパ片４２の上面前端部がストッパ片４２に対応する筐体１０の後縁部１０ａよりも後方となる位置となると、図４（ｃ）に示すように、ストッパ片４２の上面が筐体１０上面の後縁部１０ａに当接し、リッド１１が元の閉状態の位置に戻った状態になる。このように、異物ガード４０が回動され、ストッパ片４２の上面が筐体１０の後縁部１０ａに当接した状態となることにより、異物ガード４０が記録紙トレイ１５に向け回動不能になり、異物ガード４０が、ばね４５に付勢されている状態でも、ガード状態から前方に寝た姿勢となったままでロックされる。
【００２０】
図５は、異物ガード４０がロックされた状態から、ガード状態に復帰する状態を示す。リッド１１を閉状態から開状態に、回動軸２０ａを中心に回動させると、回動軸２０ａより前方にある異物ガード４０のストッパ片４２がリッド１１の回動と共に上方に変位する。そのため、ストッパ片４２と筐体１０の上面の後縁部１０ａとが離れ、異物ガード４０が、記録紙トレイ１５に向けて回動自在な状態になる。従って、リッド１１を開状態に回動させると、ストッパ片４２と筐体１０の後縁部１０ａとが離れ、異物ガード４０は、図の矢印Ｒで示すように、ばね４５の付勢力により記録紙トレイ１５に向けて回動し、リッド１１のストッパ部１１ｂに当接して、図の２点鎖線で示すようなガード状態に戻る。
【００２１】
このように、この画像形成装置１では、異物ガード４０を、ガード状態から前方に寝たロック状態にすることにより、記録紙トレイ１５の記録紙を装填する部位が異物ガード４０により遮られないようにした状態にすることができる。従って、記録紙トレイ１５に記録紙Ｐを装填する作業や、記録紙トレイ１５の記録紙ガイド１５ａ等を調整する作業等を、異物ガード４０に遮られることなく容易に行うことができる。また、異物ガード４０は、ロック状態のとき、リッド１１開状態に回動させることで、異物ガード４０を、容易に元のガード状態に戻すことができる。さらにまた、異物ガード４０をロック状態にするとき、当接リブ部４３が筐体１０の上面に摺接するので、異物ガード４０を回動させるだけで、リッド１１を上下に変位させ、異物ガード４０を容易にロック状態にすることが可能になる。また、当接リブ部４３は、下端部からストッパ片４２の前端部にかけて滑らかな曲面を有しているので、当接リブ部４３が筐体１０にスムーズに摺接し、異物ガード４０をロック状態にするときの動作を、よりスムーズに行うことができる。
【００２２】
なお、本発明は上記実施形態の構成に限定されるものではなく、発明の趣旨を変更しない範囲で適宜に種々の変形が可能である。例えば、当接リブ部４３は設けられていなくてもよく、ユーザがリッド１１を上方に変位させながら異物ガードを回動させてロック状態にすることができるように構成されていてもよい。また、ストッパ片や当接リブ部の形状はこれに限られるものではなく、異物ガードを回動させたとき、ストッパ片が筐体の後縁部に当接することによりロックされるように構成されていればよい。
【図面の簡単な説明】
【００２３】
【図１】本発明の一実施形態に係る画像形成装置の一例を示す斜視図。
【図２】上記装置のスキャナ部の構成を示す斜視図。
【図３】（ａ）は上記スキャナ部の異物ガードが軸支されている部位を示す斜視図、（ｂ）は（ａ）を異なる角度から見た斜視図、（ｃ）は（ａ）のＡ−Ａ線における側断面図。
【図４】（ａ）は上記異物ガードがロック状態であるときを示す斜視図、（ｂ）は（ａ）を異なる角度から見た斜視図、（ｃ）は（ａ）のＢ−Ｂ線における側断面図。
【図５】上記異物ガードがロックされているときにスキャナリッドを回動させたときを示す側面図。
【符号の説明】
【００２４】
１  画像形成装置
２  画像形成部
３  スキャナ部
３ａ  原稿台
１０  筐体
１１  スキャナリッド
１５  記録紙トレイ
２０  ヒンジ部材
２０ａ  （スキャナリッドの）回動軸
４０  異物ガード
４１  軸支部
４２  ストッパ片
４３  当接リブ部
４５  ばね
【図１】
2008154089.tif 000003
【図２】
2008154089.tif 000004
【図３】
2008154089.tif 000005
【図４】
2008154089.tif 000006
【図５】
2008154089.tif 000007